(57)【要約】【課題】従来の床置型空気調和機は、エアガイダの高さにより搭載できる室内熱交換器の大きさが決まるため、空気調和機の大きさの変更なしには風回路の性能向上が困難な構造であり、また、デザイン面の制約から前面パネルの吸込み口を大きくしにくい。【解決手段】熱交換器と、前面パネルに設けられ熱交換器を通過する空気を吹出すための吹出しグリルと、前面パネルに設けられる吸入グリルと、背面に設けられる背面吸込み部と、底板に設けられる底面吸込み部と、吸入グリルと底面吸込み部とから空気を吸い込み熱交換器に空気を送り出すための前面用ターボファンと、背面吸込み部と前記底面吸込み部とから空気を吸い込み熱交換器に空気を送り出すための背面用ターボファンと、前面用ターボファンと背面用ターボファンとを駆動するモータとを備えることにより、筐体内部の前後に２つの独立した風回路を形成する。【選択図】図１
2008232585.tif 000002
【特許請求の範囲】
【請求項１】
熱交換器と、前面パネルに設けられ前記熱交換器を通過する空気を吹出すための吹出しグリルと、前記前面パネルに設けられる吸入グリルと、背面に設けられる背面吸込み部と、底板に設けられる底面吸込み部と、前記吸入グリルと前記底面吸込み部とから空気を吸い込み前記熱交換器に空気を送り出すための前面用ターボファンと、前記背面吸込み部と前記底面吸込み部とから空気を吸い込み前記熱交換器に空気を送り出すための背面用ターボファンと、前記前面用ターボファンと前記背面用ターボファンとを駆動するモータとを備える床置型空気調和機。
【請求項２】
前記背面用ターボファンと前記前面用ターボファンとは羽根の高さが異なる請求項１に記載の床置型空気調和機。
【発明の詳細な説明】
【技術分野】
【０００１】
本発明は、床置型空気調和機に関するものである。
【背景技術】
【０００２】
従来、床置型空気調和機における風回路の構成としては、特許文献１に記載されたものが知られている。以下、従来の床置型空気調和機における風回路の構成について、図５を参照しながら説明する。
【０００３】
図５は、従来の床置型空気調和機の斜視図である。前面部には、上部の吹き出しグリル１０１、中央部の前面パネル１０２、下部の吸入グリル１０３が設けられており、吸入グリル１０３より取り込んだ空気を吹き出しグリル１０１より室内に吹出す構成となっている。また、この前面部と側板１０４、１０５と天板１０６と底板１０７と後ろ板１０８とから、床置型空気調和機の筐体が構成されている。
【０００４】
図６は、従来の床置型空気調和機の垂直方向の断面図である。筐体内部には、風回路を構成するためのエアガイダ１０９、モータ１１０、ファン１１１が設置されている。エアガイダ１０９の上部には室内熱交換器１１４が、高さが最大になるように斜めに設置されている。
【特許文献１】特開平６−１０１８６６号公報
【発明の開示】
【発明が解決しようとする課題】
【０００５】
しかしながら、上記従来の構造では以下のような課題を有していた。
【０００６】
すなわち、空気調和機の高さが一定の場合、エアガイダの高さによって搭載できる室内熱交換器の高さが決まるため、空気調和機の高さはそのままにして空調性能を向上させようとすると、室内熱交換器の熱交列数を増やすしかなくコスト高となる。
【０００７】
また、吸入グリル１０３に設けられる吸入口の面積を大きくすれば吸込む風量は増加するが、デザイン面の制約から吸入口の面積を大きくしにくかった。
【０００８】
本発明は、上記課題を解決するためになされたもので、吸入グリルに設けられる吸入口の面積を減らしつつ、空調性能の維持または向上を図ることを目的とする。
【課題を解決するための手段】
【０００９】
上記課題を解決するために、本発明の床置型空気調和機は、熱交換器と、前面パネルに設けられ前記熱交換器を通過する空気を外部に吹出すための吹出しグリルと、背面に設けられる背面吸込み部と、底板に設けられる底面吸込み部と、前記吸入グリルと前記底面吸込み部とから空気を吸い込み前記熱交換器に空気を送り出すための前面用ターボファンと、前記背面吸込み部と前記底面吸込み部とから空気を吸い込み前記熱交換器に空気を送り出すための背面用ターボファンと、前記前面用ターボファンと前記背面用ターボファンとを駆動するモータとを備えるものである。
【発明の効果】
【００１０】
本発明の床置型空気調和機によれば、前面パネルの吸入グリルに設けられる吸込み口の面積を減らしても、吸込み口の全体面積を確保することができるので、風回路の性能の維持または向上を図ることができる。
【発明を実施するための最良の形態】
【００１１】
第１の発明は、熱交換器と、前面パネルに設けられ前記熱交換器を通過する空気を吹出すための吹出しグリルと、前記前面パネルに設けられる吸入グリルと、背面に設けられる背面吸込み部と、底板に設けられる底面吸込み部と、前記吸入グリルと前記底面吸込み部とから空気を吸い込み前記熱交換器に空気を送り出すための前面用ターボファンと、前記背面吸込み部と前記底面吸込み部とから空気を吸い込み前記熱交換器に空気を送り出すための背面用ターボファンと、前記前面用ターボファンと前記背面用ターボファンとを駆動するモータとを備えるものである。
【００１２】
これにより、吸入グリルの吸込み口の面積を減らしても吸込み口の全体面積を確保できるので、風回路の性能を維持または向上を図ることができる。また、ターボファンを採用することで、エアガイダを使用しなくてすむので、コスト低減を図ることができる。さらに、デザイン性に大きく影響する前面部の吸込み口面積を減らすことができるため、デザインの選択の自由度が増加する。
【００１３】
第２の発明は、第１の発明において、前記背面用ターボファンと前記前面用ターボファンとは羽根の高さが異なるものである。これにより、風回路上部に配置されている熱交換器に吹き付ける風量を前後で調整することができ、上部熱交換器に適正な風速分布を与えるので、空気調和機の高さを変更せずに風回路の性能を向上させることができる。
【００１４】
（実施の形態１）
以下、本発明の実施の形態１について図面を参照して説明する。
【００１５】
図１は、本実施の形態による床置型空気調和機の分解斜視図である。図１に示されるように、本実施の形態の床置型空気調和機は、吹出しグリル１と前面パネル２と吸入グリル３とで構成される前面部と、側板５、６と、天板４と、底板７と、後ろ板８とから、その筐体が構成される。
【００１６】
この筐体内部に、仕切り板９とモータ１０と背面用ターボファン１１と前面用ターボファン１２とを配置し、この構成によって、仕切り板９に隔てられた前後２つの独立した風回路が形成される。
【００１７】
図２は、本実施の形態による床置型空気調和機の背面斜視図である。図３は、底板７を裏側から見た図である。図２、３に示されるように、背面には背面吸込み部１３が設けられる。底板７には、背面ターボファン１１用の底面吸込み部１４と、前面ターボファン１２用の底面吸込み部１５とが設けられる。
【００１８】
図４は、床置型空気調和機の垂直方向の断面図である。図４に示されるように、風回路の下部に、背面用ターボファン１１と前面用ターボファン１２とが仕切り板９により隔てられて配置される。
【００１９】
このようにして、本実施の形態の床置型空気調和機には、前後に２つの独立した風回路が形成される。
【００２０】
本実施の形態によれば、後ろ板８に背面吸込み部１３が、底面７には底面吸込み部１４、１５がそれぞれ設けられるので、前面パネル２に設けられた吸入グリル３の吸込み口の面積を減らしても、吸込み口の全体面積の維持または増加を図ることが可能となる。
【００２１】
また、背面用ターボファン１１と前面用ターボファン１２とは、羽根の直径は同じで羽
根の高さは異なる寸法となっており、この羽根の高さの違いにより、２つの風回路から熱交換器１６へ送りだす風量を調整する。
【００２２】
このように、従来のような熱交換機の配置方法の場合、熱交換器下部への風量が少ないため、熱交換機性能を十分に発揮することは困難であったが、本実施の形態の床置型空気調和機によれば、より適正な風速分布で風を熱交換器に供給することができるため、風回路の性能が向上する。
【００２３】
なお、本実施の形態においては、背面用ターボファン１１の羽根の直径と前面用ターボファン１２の羽根の直径とが同じとしているが、空気調和機の高さの変更を必要としなければ、羽根の直径が多少異なっても同様の効果が得られ、本実施の形態に留まるものではない。
【産業上の利用可能性】
【００２４】
本発明は床置型空気調和機に適用できるものであり、前面用と背面用との２つのターボファンを配置し、背面と底面とに吸込み部を設けて、前後に２つの独立した風回路を形成することにより、吸入グリルに設けられる吸込み口の面積を減らしても風回路の性能の維持または向上を図ることが可能となる。
【図面の簡単な説明】
【００２５】
【図１】本発明の実施の形態１による床置型空気調和機の分解斜視図
【図２】本発明の実施の形態１による床置型空気調和機の背面斜視図
【図３】本発明の実施の形態１による底板７を裏側から見た図
【図４】本発明の実施の形態１による床置型空気調和機の断面図
【図５】従来の床置型空気調和機の斜視図
【図６】従来の床置型空気調和機の断面図
【符号の説明】
【００２６】
１  吹出しグリル
２  前面パネル
３  吸入グリル
４  天板
５  側板
６  側板
７  底板
８  後ろ板
９  仕切り板
１０  モータ
１１  背面用ターボファン
１２  前面用ターボファン
１３  背面吸込み部
１４  底面吸込み部
１５  底面吸込み部
１６  熱交換器
【図１】
2008232585.tif 000003
【図２】
2008232585.tif 000004
【図３】
2008232585.tif 000005
【図４】
2008232585.tif 000006
【図５】
2008232585.tif 000007
【図６】
2008232585.tif 000008